(57)【特許請求の範囲】
【請求項１】
不透明な容器本体と、容器本体の口筒部に取着され、上端にノズルヘッドを取着したポンプと、容器本体の胴周壁内に、上昇可能に嵌挿された摺動底板と、容器本体の下端に取着された底蓋とからなる液注出容器であって、
ポンプのシリンダーの外周に、内周が摺動自在に嵌合する有底の係合筒と、係合筒の底壁に垂下した押棒とを具えた押下げ部材を装着し、
摺動底板の下部に、上部内周に押棒が液密に挿入可能な係合部を有し、下部内周に落下物を液密に保持する底部を設け、
摺動底板が一定の上昇位置に達したときに、押下げ部材の押棒が係合部に挿入され、摺動底板の底部内の落下物を落下させて、その後、内容液の吐出にともなって摺動底板がさらに上昇することを特徴とする液注出容器。
【請求項２】
押下げ部材が、ポンプのシリンダーの下面と、押下げ部材の係合筒の底壁との間に、所定の間隔が形成されるようにシリンダーに装着されていることを特徴とする請求項１記載の液注出容器。
【発明の詳細な説明】
【技術分野】
【０００１】
本発明は、液注出容器、とくに不透明な容器本体に収納した内容物の残量を確認可能としたポンプ付底上げタイプのクリーム状液注出容器に関するものである。
【背景技術】
【０００２】
不透明な容器本体に内容物を収納したポンプ付底上げタイプのクリーム状液注出容器において、摺動底板が一定の上昇位置に達したときに、摺動底板の下面に装着した球体を落下させ、その状態で容器を振ると、球体が容器内面に衝突して音を発生するようにした容器は、従来より知られている（例えば、特許文献１参照）。
【特許文献１】特開２００２−３２０８８６号公報
【発明の開示】
【発明が解決しようとする課題】
【０００３】
しかしながら、上記特許文献１記載の容器では、摺動底板の球体保持部が、ポンプのシリンダー下端に圧接したときに、球体が落下するようにしており、そのため、内容液が無くなったときはわかるが、内容液が少なくなり、一定の残量となったときを知ることはできなかった。
そのため、新しい容器を求め、それとの交換を準備しておく時期がわからないという問題が生じるおそれがあった。
【０００４】
本発明は、上記問題を解決することを課題とし、遮光のために不透明な容器本体を具えた液注出容器において、内容液の注出時に、内容液が残り少なくなり、一定量の残量となったことを知ることができるようにしたポンプ付底上げタイプのクリーム状液注出容器を提供することを目的とする。
【課題を解決するための手段】
【０００５】
本発明は、上記の課題を解決するため、液注出容器として、不透明な容器本体と、容器本体の口筒部に取着され、上端にノズルヘッドを取着したポンプと、容器本体の胴周壁内に、上昇可能に嵌挿された摺動底板と、容器本体の下端に取着された底蓋とからなる液注出容器であって、ポンプのシリンダーの外周に、内周が摺動自在に嵌合する有底の係合筒と、係合筒の底壁に垂下した押棒とを具えた押下げ部材を装着し、摺動底板の下部に、上部内周に押棒が液密に挿入可能な係合部を有し、下部内周に落下物を液密に保持する底部を設け、摺動底板が一定の上昇位置に達したときに、押下げ部材の押棒が係合部に挿入され、摺動底板の底部内の落下物を落下させて、その後、内容液の吐出にともなって摺動底板がさらに上昇することを特徴とする構成を採用する。
【０００６】
押下げ部材の実施例として、押下げ部材が、ポンプのシリンダーの下面と、押下げ部材の係合筒の底壁との間に、所定の間隔が形成されるようにシリンダーに装着されていることを特徴とする構成を採用する。
【発明の効果】
【０００７】
ポンプのシリンダーの下部外周に押棒を具えた押下げ部材を装着し、摺動底板に、上部内周に押棒が液密に挿入可能な係合部を有し、下部内周に落下物を液密に保持する底部を設けたことにより、摺動底板が一定の上昇位置に達したときに、落下物が落下し、底蓋や胴周壁内面に衝突し、音を発生することができる。
そして、音の発生を確認することで、内容液の残量が一定量になったことを知ることができる。
また、押棒の長さ、または、シリンダー下面と押下げ部材の底壁との間隔を変えることによって、確認しようとする残量を調節することができる。
【発明を実施するための最良の形態】
【０００８】
次に、本発明のポンプ付底上げ容器の実施形態について、図面を参照して説明する。
図１において、Ａは容器本体、Ｂは上端にノズルヘッドＣを取着したポンプ、ＤはポンプＢの下部に装着される押下げ部材、Ｅは摺動底板、Ｆは底蓋である。
容器本体Ａは、不透明な合成樹脂で形成され、内容液として遮光の必要なクリーム状液が収納されている。
【０００９】
容器本体Ａは、口筒部１と肩部２，下端を開放端とした胴周壁３とからなっており、口筒部１には、ねじ４が螺設されている。
胴周壁３下端内周には、底蓋Ｆの取付部５が形成されている。
【００１０】
ポンプＢは、シリンダー１０と有底のピストン筒１１を具えており、シリンダー１０は、ねじ４に螺合するねじを螺設し、ガイド筒を具えた取付キャップ１２によって、容器本体Ａの口筒部１に取着されている。
シリンダー１０の底壁には、吸込弁１３が設けられており、ピストン筒１１の下端部周面には、ピストン弁１４が配設され、ピストン筒１１の上下動に応じて、シリンダー室１０ａからピストン筒１１内にピストン筒１１外周に設けた開口を通じて内容液を圧入するようになっている。
【００１１】
ピストン筒１１の上部には、ノズル１５を設けたノズルヘッドＣが装着されており、ノズルヘッドＣと取付キャップ１２との間には、スプリング１６が弾装されている。
【００１２】
ポンプＢ、ノズルヘッドＣは、ノズルヘッドＣを上下動することによって、内容液を吸上げノズル１５より吐出できるものであればよく、その構成は、従来より公知のものを採用することができ、前記のポンプ装置に限定されない。
【００１３】
押下げ部材Ｄは、ポンプＢのシリンダー１０の外周に内周が摺動自在に嵌合する有底の係合筒２０と、係合筒２０の底壁中央に垂設される押棒２１とからなり、ポンプＢのシリンダー１０の底壁下面と係合筒２０の底壁との間に間隔ａが形成されるようにポンプＢに取着される。
係合筒２０の所定の位置には、内容液の流路となる開口２２が、上部から底壁まで延びるよう穿設されている。
【００１４】
摺動底板Ｅは、胴周壁３内面に摺動自在に嵌挿されるスカート状の弾性周壁２５を連設した環状の傾斜板２６と、傾斜板２６の内周縁から垂設され、下部中央に底部２７を設けた有底の筒体２８とからなっている。
【００１５】
底部２７は、筒体２８の底壁２８ａ内周縁に連設された外筒部３０と、外筒部３０下端内周に連設される内筒部３１とを具えている。
内筒部３１の上部は、上方に向かって縮径され、上端内周は、押下げ部材Ｄの押棒２１外周が摺動自在に嵌合する係合部３２となっている。
内筒部３１の下部内周には、ボール３３を内筒部３１内に液密に載置する係止突条３４が設けられている。
【００１６】
底蓋Ｆは、中央部に上端が摺動底板Ｅの筒体２８の底壁２８ａ下面に当接する内筒３５を立設した底板３６と、底板３６の周縁部に立設され、容器本体Ａの取付部５内周に外周が係合する側周筒３７とからなっている。
底板３６の所定の位置には空気孔３８が穿設されている。
【００１７】
次に、本液注出容器の作用効果について説明する。
本発明の液注出容器には、内容物として、クリーム状液が収納され、ノズルヘッドＣの押下げ操作により、容器本体Ａ内の内容液がポンプＢによって吸上げられ、ノズル１５から吐出される。
また、内容液の吸上げに応じて容器本体Ａ内が負圧となり、摺動底板Ｅが上昇するとともに、底蓋Ｆの空気孔３８より大気が導入される。
【００１８】
図２に示すように、摺動底板Ｅが一定の位置まで上昇すると、摺動底板Ｅの底部２７の内筒部３１の係合部３２内周に押下げ部材Ｄの押棒２１が挿入され、液密に摺動し、押棒２１の下端が内筒部３１内のボール３３の上端に当接する。
【００１９】
さらに摺動底板Ｅが上昇すると、図３に示すように、押棒２１下端がボール３３を押下げ、ボール３３が内筒部３１内から外れ、落下し、底蓋Ｆに衝突して音を発生する。
ボール３３が落下し、音を発生するので、内容液が一定の残量となったことを認識することができる。
【００２０】
また、ボール３３の落下時の音を聞き逃したとしても、注出容器を振ると、ボール３３が容器内で底蓋の内筒３５の内面、または容器本体の胴周壁３の内面や内筒３５の外面と衝突し、音を発生するので、内容液が一定の残量より少なくなっていることを認識することができ、次の新しい液注出容器を準備しなければならならいことを知ることができる。
【００２１】
ボール３３の落下後、内容液を吸上げると摺動底板Ｅが上昇し、摺動底板Ｅの筒体２８の底壁２８a上面が、押下げ部材Ｄの係合筒２０の底壁下面に当接して押上ることによって、押下げ部材ＤをポンプＢのシリンダー１０に対して摺動させ上昇させる。
【００２２】
確認したい一定量の残量を変えるときには、押下げ部材Ｄの押棒２１の長さ、または、押下げ部材ＤとポンプＢのシリンダー１０とで形成される間隔ａの高さ、または、摺動底板Ｅ内での底部２７の高さを調節することによって、適宜変更することができる。
【００２３】
上記実施形態では、摺動底板Ｅの底部２７の内筒部３１内にボール３３を載置したが、ボール３３の代わりに、図４に示すように、底部２７の内筒部３１内下部に係止突条３４を介して係止される上下二段とした円筒状部材４０を液密に取着するようにしてもよい。
【００２４】
円筒状の部材４０を取着した場合でも、図５に示すように、内容液の吸上げに伴い、摺動底板Ｅが上昇し、摺動底板Ｅの底部２７の内筒部３１の係合部３２内周に押下げ部材Ｄの押棒２１が挿入され、液密に摺動し、押棒２１下端が円筒状部材４０上面を押下げ、図６に示すように、円筒状部材４０が内筒部３１内から外れ、落下し、底蓋Ｆに衝突して音を発生させるという上記実施形態と同様の作用効果を得ることができる。
【００２５】
したがって、本発明は、摺動底板の上昇に伴い、押下げ部材の押棒に当接し、落下させられ、容器内に衝突し、音を発生させ、一定の残量となったことを認識することができる落下物であればどのようなものでもよく、落下物の構成は上記実施形態の構成に限定されない。
【産業上の利用可能性】
【００２６】
本発明は、ポンプ付底上げタイプの液注出容器において、摺動底板の上昇に伴い、摺動底板内に載置した落下物が外れ、容器内に衝突して音を発生し、一定の残量以下になったことを知ることができる。
また、本発明は、内容液の種類に係わらず、不透明な容器本体を有する液注出容器に効果的に利用することができ、さらに半透明の容器本体の場合にも利用することができる。
【図面の簡単な説明】
【００２７】
【図１】本発明液注出容器の一部断面立面図である。
【図２】摺動底板が一定位置に上昇したときの一部断面立面図である。
【図３】ボールが摺動底板から離れたときの一部断面立面図である。
【図４】本発明液注出容器の別実施例の一部断面立面図である。
【図５】別実施例の摺動底板が一定位置に上昇したときの一部断面立面図である。
【図６】別実施例の円筒状の部材が摺動底板から離れたときの一部断面立面図である。
【符号の説明】
【００２８】
Ａ      容器本体
Ｂ      ポンプ
Ｃ      ノズルヘッド
Ｄ      押下げ部材
Ｅ      摺動底板
Ｆ      底蓋
ａ      間隔
１      口筒部
２      肩部
３      胴周壁
４      ねじ
５      取付部
１０    シリンダー
１０ａ  シリンダー室
１１    ピストン
１２    取付キャップ
１３    吸込弁
１４    ピストン弁
１５    ノズル
１６    スプリング
２０    係合筒
２１    押棒
２２    開口
２５    弾性周壁
２６    傾斜板
２７    底部
２８    筒体
３０    外筒部
３１    内筒部
３２    係合部
３３    ボール
３４    係止突条
３５    内筒
３６    底板
３７    側周筒
３８    空気孔
４０    円筒状部材
【図１】
0004675720.tif 000002
【図２】
0004675720.tif 000003
【図３】
0004675720.tif 000004
【図４】
0004675720.tif 000005
【図５】
0004675720.tif 000006
【図６】
0004675720.tif 000007